(57)【要約】【課題】シールド効果を得るとともに部品点数を増加することなく接触部の変形を抑制することが可能なテレビジョン用チューナを提供する。【解決手段】このテレビジョン用チューナ１では、ボトムシャーシ１０と、トップカバー３０と、フロントパネル２０とを備え、ボトムシャーシ１０は、ボトムシャーシ１０の正面側上部に正面から背面に向かう方向に上り勾配を有して延びる支持面１２と、支持面１２に形成された複数の半球形状の突起部１３と、支持面１２に設けられた実質的にＵ字状の複数の切り欠き部１４とを含み、トップカバー３０は、ボトムシャーシ１０の半球形状の突起部１３に当接する半球形状の突起部１３側に突出した補強リブとして機能する凸状部３２と、フロントパネル２０の内面上部に下方向から係合するフック状の係合部３３とを含む。【選択図】図３
0003098793.tif 000002
【実用新案登録請求の範囲】
【請求項１】
電磁波ノイズを輻射するテレビジョン用チューナ回路が収納される導電性材料からなるシャーシと、前記シャーシの上側に取り付けられる導電性材料からなるカバーと、前記シャーシの正面側に取り付けられる絶縁性材料からなるパネルとを備えたテレビジョン用チューナにおいて、
前記シャーシは、
前記シャーシの正面側上部に前記シャーシと一体的に形成され、正面から背面に向かう方向に上り勾配を有して延びる支持面と、
前記支持面の長手方向に所定の間隔を隔てて前記シャーシの支持面に一体的に形成された複数の半球形状の突起部と、
前記支持面に設けられ、前記半球形状の突起部のそれぞれの周囲の一部を囲むように形成された実質的にＵ字状の複数の切り欠き部とを含み、
前記カバーは、
前記シャーシの前記複数の半球形状の突起部に対応する位置に沿って延びるように前記カバーと一体的に形成され、前記シャーシの前記半球形状の突起部に当接するとともに、補強リブとして機能する前記半球形状の突起部側に突出する凸状部と、
前記カバーの前記パネル側に設けられ、前記パネルの内面上部に下方向から係合するフック状の係合部とを含み、
前記フック状の係合部が前記パネルの内面上部に下方向から係合することによって、前記カバーの凸状部は、上方向から所定の押圧力で前記シャーシの前記半球形状の突起部に当接するように構成されている、テレビジョン用チューナ。
【請求項２】
電磁波ノイズを輻射する電子部品が収納される導電性材料からなるシャーシと、
前記シャーシの上側に取り付けられる導電性材料からなるカバーと、
前記シャーシの正面側に取り付けられるパネルとを備え、
前記シャーシは、
前記シャーシの正面側上部に前記シャーシと一体的に形成され、正面から背面に向かう方向に延びる支持面と、
前記支持面に所定の間隔を隔てて設けられた複数の突起部とを含み、
前記カバーは、
前記シャーシの複数の突起部に対応する位置に沿って延びるように前記カバーと一体的に形成され、前記シャーシの前記突起部に当接するとともに、補強リブとして機能する前記突起部側に突出する凸状部と、
前記カバーの前記パネル側に設けられ、前記パネルの内面上部に下方向から係合する係合部とを含む、電子機器のハウジング構造。
【請求項３】
前記シャーシは、前記複数の突起部のそれぞれの周囲の一部を囲むように形成された複数の切り欠き部を含む、請求項２に記載の電子機器のハウジング構造。
【請求項４】
前記支持面は、正面から背面に向かう方向に上り勾配を有する、請求項２または３に記載の電子機器のハウジング構造。
【請求項５】
前記突起部は、半球形状を有するとともに、前記シャーシの支持面に一体的に設けられている、請求項２〜４のいずれか１項に記載の電子機器のハウジング構造。
【考案の詳細な説明】
【０００１】
【考案の属する技術分野】
この考案は、テレビジョン用チューナおよび電子機器のハウジング構造に関し、特に、電磁波ノイズを輻射するテレビジョン用チューナ回路および電子部品が収納されるテレビジョン用チューナおよび電子機器のハウジング構造に関する。
【０００２】
【従来の技術】
従来、電磁波ノイズを輻射する電子部品が収納される電子機器が知られている。このような電子機器のハウジングは、電磁波ノイズの漏出を防止するために、導電性材料により形成されるとともに、電子部品を覆うように構成されている。また、従来、電磁波ノイズを輻射する電子部品としてのテレビジョン用チューナ回路が収納されるテレビジョン用チューナが知られている。
【０００３】
図１１は、従来のテレビジョン用チューナを示した斜視図である。図１２は、図１１に示した従来のテレビジョン用チューナの側面図である。図１３は、図１２に示した従来のテレビジョン用チューナの部分断面図である。図１１〜図１３を参照して、従来のテレビジョン用チューナ１００の構造について説明する。
【０００４】
従来のテレビジョン用チューナ１００は、図１１〜図１３に示すように、電子機器が収納される金属製のボトムシャーシ１１０と、ボトムシャーシ１１０の正面側に取り付けられる樹脂製のフロントパネル１２０と、ボトムシャーシ１１０の上側に取り付けられる金属製のトップカバー１３０と、金属製のアーススプリング１４０とを備えている。ボトムシャーシ１１０は、図１２および図１３に示すように、脚部１１１と支持面１１２とを含んでいる。また、トップカバー１３０は、ねじ止め部１３１を含んでいる。
【０００５】
従来のテレビジョン用チューナ１００は、フロントパネル１２０を正面側に向けるようにして、ボトムシャーシ１１０に設けられた脚部１１１を介して載置面に載置される。この場合、外観を良好にするため、正面側には、ねじ止めしている部分が存在しないように構成されている。また、従来のテレビジョン用チューナ１００におけるボトムシャーシ１１０とトップカバー１３０とは、トップカバー１３０の側面側および背面側に設けられたねじ止め部１３１を介して導電性のねじによってねじ止めされている。このように、従来のテレビジョン用チューナ１００では、ボトムシャーシ１１０とトップカバー１３０とは導電性のねじによってねじ止めされているので、側面側と背面側とは電気的な接触点を有する。これにより、テレビジョン用チューナ１００の側面側と背面側とはシールド効果を得ている。
【０００６】
その一方、従来では、テレビジョン用チューナ１００の正面側は、ねじ止めを行っていないので、ねじ止め以外の方法により電気的な接触点を得るための構造が必要であった。具体的には、図１３に示すように、ボトムシャーシ１１０の正面側上部に設けられた支持面１１２と、トップカバー１３０との間に、金属製の板ばね形状のアーススプリング１４０を取り付けることにより、ボトムシャーシ１１０とトップカバー１３０とを電気的に接触させている。これにより、テレビジョン用チューナ１００の正面側でシールド効果を得ることができる。このように、従来のテレビジョン用チューナ１００では、側面側および背面側は導電性のねじによってシールド効果を得るとともに、正面側はアーススプリング１４０によりシールド効果を得ていた。
【０００７】
しかしながら、図１３に示したテレビジョン用チューナ１００では、シールド効果を得るためにアーススプリング１４０を用いるため、その分、部品点数が多くなるという問題点があった。
【０００８】
そこで、上記の問題点を解消するために、従来のテレビジョン用チューナ１００の正面側にねじやアーススプリング１４０を用いることなくシールド効果が得られる他の電子機器のハウジング構造を利用することも考えられる（たとえば、特許文献１および特許文献２参照）。
【０００９】
上記特許文献１には、電子回路を収納する導電性のシャーシと、このシャーシに蓋をして電磁波ノイズの漏出を防止する導電性のカバーとの少なくともいずれか一方の周縁に弾力性を備える櫛状部を形成した電子機器のハウジング構造が開示されている。上記特許文献１に開示された構造では、櫛状部を他方に押圧接触させることによりシールド効果を得ている。
【００１０】
また、上記特許文献２には、ケースシャーシの両側側部の端縁近傍にこの端縁に沿って凹溝を設けるとともに、蓋体にはこの凹溝に対応した嵌合用凸部を設けた高周波無線機器用のケース体構造が開示されている。上記特許文献２に開示された構造では、蓋体の凸部と、ケースシャーシの凹溝との嵌合部分でシールド効果を得ることができる。
【００１１】
【特許文献１】
特開平６−２９１４８３号公報
【特許文献２】
実開昭５８−１５５８７２号公報
【００１２】
【考案が解決しようとする課題】
上記特許文献１では、櫛状部は弾力性を有するので、櫛状部のカバーに接触する部分に対する押圧力をある程度は緩和することが可能である。しかしながら、櫛状部の板厚が大きく、かつ、櫛状部と接触する側の板厚が小さくて機械的強度が小さい場合には、櫛状部が弾力性を有していたとしても、櫛状部の押圧力により、櫛状部と接触する側の接触面が変形する場合があるという問題点がある。
【００１３】
また、上記特許文献２に開示された構造では、ケースシャーシに蓋体を取り付ける際に、蓋体の凸部を広げてケースシャーシの凹溝に装着させるため、ケースシャーシを形成する板厚よりも蓋体を形成する板厚の方が小さい場合、蓋体の変形が生じる可能性があるという問題点がある。
【００１４】
この考案は、上記のような課題を解決するためになされたものであり、この考案の１つの目的は、シールド効果を得るとともに部品点数を増加することなく接触部の変形を抑制することが可能なテレビジョン用チューナおよび電子機器のハウジング構造を提供することである。
【００１５】
【課題を解決するための手段および考案の効果】
上記目的を達成するために、この考案の第１の局面におけるテレビジョン用チューナでは、電磁波ノイズを輻射するテレビジョン用チューナ回路が収納される導電性材料からなるシャーシと、シャーシの上側に取り付けられる導電性材料からなるカバーと、シャーシの正面側に取り付けられる絶縁性材料からなるパネルとを備えたテレビジョン用チューナにおいて、シャーシは、シャーシの正面側上部にシャーシと一体的に形成され、正面から背面に向かう方向に上り勾配を有して延びる支持面と、支持面の長手方向に所定の間隔を隔ててシャーシの支持面に一体的に形成された複数の半球形状の突起部と、支持面に設けられ、半球形状の突起部のそれぞれの周囲の一部を囲むように形成された実質的にＵ字状の複数の切り欠き部とを含み、カバーは、シャーシの複数の半球形状の突起部に対応する位置に沿って延びるようにカバーと一体的に形成され、シャーシの半球形状の突起部に当接するとともに、補強リブとして機能する半球形状の突起部側に突出する凸状部と、カバーのパネル側に設けられ、パネルの内面上部に下方向から係合するフック状の係合部とを含み、フック状の係合部がパネルの内面上部に下方向から係合することによって、カバーの凸状部は、上方向から所定の押圧力でシャーシの半球形状の突起部に当接するように構成されている。
【００１６】
この考案の第１の局面におけるテレビジョン用チューナでは、上記のように、カバーを、シャーシの複数の突起部に対応する位置に沿って延びるとともに、シャーシの半球形状の突起部に当接し、かつ、補強リブとして機能する凸状部を含むように構成することによって、カバーの厚みが小さい場合にも、補強リブとして機能する凸状部により、突起部の押圧力に起因するカバーの変形を有効に抑制することができる。また、凸状部をカバーと一体的に形成することによって部品点数が増加することもない。また、シャーシの正面上部に設けられた支持面に所定の間隔を隔てて複数の半球形状の突起部を設けるとともに、カバーに、パネルの内面上部に下方向から係合するフック状の係合部を設け、かつ、その係合部がパネルの内面上部に下方向から係合することによりカバーの凸状部が上方向から所定の押圧力でシャーシの突起部に当接するように構成することによって、カバーとシャーシとの間に確実に電気的な接触点を得ることができる。これにより、確実にシールド効果を得ることができる。また、複数の突起部のそれぞれの周囲の一部を囲むように実質的にＵ字状の切り欠き部を設けることによって、突起部に弾力性を付与することができるので、シャーシの突起部とカバーとの接触圧が過度に大きくなるのが抑制される。これにより、上記した補強リブとして機能する凸状部との組み合わせにより、カバーの厚みが小さい場合にも、カバーの変形をより有効に抑制することができる。
【００１７】
また、第１の局面では、シャーシの正面側上部に形成された支持面を、正面から背面に向かう方向に上り勾配を有して延びるように形成することによって、カバーの係合部をパネルに係合させる際に、カバーの係合部がシャーシの支持面および突起部に干渉するのを抑制することができる。その結果、カバーの係合部をパネルに係合させる組立作業の作業性を向上させることができる。また、突起部を、シャーシと一体的に形成することによって、部品点数を増加させることなく、確実にシールド効果を得ることができる。
【００１８】
この考案の第２の局面における電子機器のハウジング構造では、電磁波ノイズを輻射する電子部品が収納される導電性材料からなるシャーシと、シャーシの上側に取り付けられる導電性材料からなるカバーと、シャーシの正面側に取り付けられるパネルとを備え、シャーシは、シャーシの正面側上部にシャーシと一体的に形成され、正面から背面に向かう方向に延びる支持面と、支持面に所定の間隔を隔てて設けられた複数の突起部とを含み、カバーは、シャーシの複数の突起部に対応する位置に沿って延びるようにカバーと一体的に形成され、シャーシの突起部に当接するとともに、補強リブとして機能する突起部側に突出する凸状部と、カバーのパネル側に設けられ、パネルの内面上部に下方向から係合する係合部とを含む。
【００１９】
この考案の第２の局面における電子機器のハウジング構造では、上記のように、カバーを、シャーシの複数の突起部に対応する位置に沿って延びるとともに、シャーシの突起部に当接し、かつ、補強リブとして機能する凸状部を含むように構成することによって、カバーの厚みが小さい場合にも、補強リブとして機能する凸状部により、突起部の押圧力に起因するカバーの変形を有効に抑制することができる。また、凸状部をカバーと一体的に形成することによって部品点数が増加することもない。また、シャーシの正面上部に設けられた支持面に所定の間隔を隔てて複数の突起部を設けるとともに、カバーに、パネルの内面上部に下方向から係合する係合部を設けることによって、カバーとシャーシとの間に確実に電気的な接触点を得ることができる。これにより、確実にシールド効果を得ることができる。
【００２０】
上記第２の局面による電子機器のハウジング構造において、好ましくは、シャーシは、複数の突起部のそれぞれの周囲の一部を囲むように形成された複数の切り欠き部を含む。このように構成すれば、突起部に弾力性を付与することができるので、シャーシの突起部とカバーとの接触圧が過度に大きくなるのが抑制される。これにより、上記した補強リブとして機能する凸状部との組み合わせにより、カバーの厚みが小さい場合にも、カバーの変形をより有効に抑制することができる。
【００２１】
上記第２の局面による電子機器のハウジング構造において、好ましくは、支持面は、正面から背面に向かう方向に上り勾配を有する。このように構成すれば、カバーの係合部をパネルに係合させる際、カバーの係合部がシャーシの支持面および突起部に干渉するのを抑制することができる。その結果、カバーの係合部をパネルに係合させる組立作業の作業性を向上させることができる。
【００２２】
上記第２の局面による電子機器のハウジング構造において、好ましくは、突起部は、半球形状を有するとともに、シャーシの支持面に一体的に設けられている。このように構成すれば、部品点数を増加させることなく、確実にシールド効果を得ることができる。
【００２３】
【考案の実施の形態】
以下、本考案の実施の形態を図面に基づいて説明する。
【００２４】
図１は、本考案の一実施形態によるテレビジョン用チューナを示した斜視図である。図２は、図１に示した本考案の一実施形態によるテレビジョン用チューナの側面図である。図３は、本考案の一実施形態によるテレビジョン用チューナを示した上面図である。図４は、図３の部分拡大図である。図５は、図４に示した本考案の一実施形態によるテレビジョン用チューナの２００−２００線に沿った部分断面図である。図６は、図４に示した本考案の一実施形態によるテレビジョン用チューナの３００−３００線に沿った部分断面図である。図７は、図１に示した本考案の一実施形態によるテレビジョン用チューナのボトムシャーシを示した上面図である。図８は、図７の部分拡大図である。図９は、図１に示した本考案の一実施形態によるテレビジョン用チューナのフロントパネルを示した上面図である。図１０は、図１に示した本考案の一実施形態によるテレビジョン用チューナのトップカバーを示した上面図である。
【００２５】
まず、図１〜図１０を参照して、本考案の一実施形態によるテレビジョン用チューナ１の構造について説明する。本実施形態によるテレビジョン用チューナ１は、図１および図２に示すように、電磁波ノイズを輻射するテレビジョン用チューナ回路（図示せず）が収納される金属製のボトムシャーシ１０と、ボトムシャーシ１０の正面側に取り付けられる樹脂製のフロントパネル２０と、ボトムシャーシ１０の上側に取り付けられる金属製のトップカバー３０とを備えている。なお、ボトムシャーシ１０は、本考案の「シャーシ」の一例である。また、フロントパネル２０は、本考案の「パネル」の一例である。また、トップカバー３０は、本考案の「カバー」の一例である。
【００２６】
ボトムシャーシ１０は、１枚の金属板から一体的に形成されている。このボトムシャーシ１０は、図７および図８に示すように、脚部１１と、支持面１２と、突起部１３と、切り欠き部１４と、フロントパネル係合部１５とを含んでいる。脚部１１は、図２に示すように、ボトムシャーシ１０の下面に設けられている。また、支持面１２は、図３、図４、図７および図８に示すように、ボトムシャーシ１０の正面側上部に２つ設けられている。この２つの支持面１２は、図５に示すように、テレビジョン用チューナ１の正面から背面に向かう方向に上り勾配を有している。また、突起部１３は、２つの支持面１２のそれぞれに、長手方向に所定の間隔を隔てて２つずつ設けられている。この突起部１３は、半球形状を有する。
【００２７】
ここで、本実施形態では、図７および図８に示すように、支持面１２上の半球形状の突起部１３の周囲を囲むように、実質的にＵ字状の切り欠き部１４が形成されている。これにより、突起部１３は弾力性を有するように構成されている。
【００２８】
また、フロントパネル係合部１５は、図６〜図８に示すように、ボトムシャーシ１０の正面側上部に設けられている。このフロントパネル係合部１５は、フロントパネル２０の取り付けの際にフロントパネル２０と係合させるために設けられている。
【００２９】
フロントパネル２０は、図１および図２に示すように、ボトムシャーシ１０の正面側に取り付けられている。このフロントパネル２０は、図９に示すように、フロントパネル２０と一体的に形成されたボトムシャーシ係合部２１を含んでいる。このフロントパネル２０のボトムシャーシ係合部２１は、図３、図４および図６に示すように、ボトムシャーシ１０のフロントパネル係合部１５に係合される。
【００３０】
また、トップカバー３０は、図１および図２に示すように、ボトムシャーシ１０の上側に取り付けられる。このトップカバー３０は、図１０に示すように、ねじ止め部３１と、凸状部３２と、フック状の係合部３３と、側部係合部３４とを含んでいる。ねじ止め部３１は、図１および図２に示すように、トップカバー３０の側面側と背面側とに設けられている。このねじ止め部３１を介して、ボトムシャーシ１０とトップカバー３０とが導電性のねじによってねじ止めされている。
【００３１】
ここで、本実施形態では、凸状部３２は、トップカバー３０の補強リブとして機能する。この補強リブとして機能する凸状部３２は、図３〜図５に示すように、ボトムシャーシ１０の半球形状の突起部１３に対応する位置に沿って延びるように、トップカバー３０と一体的に形成されている。また、この凸状部３２は、図５に示すように、ボトムシャーシ１０の半球形状の突起部１３側に突出している。
【００３２】
また、図１０に示すように、フック状の係合部３３は、トップカバー３０のフロントパネル２０側に突出するように２つ設けられている。また、側部係合部３４は、トップカバー３０の側面のフロントパネル２０側に設けられている。この側部係合部３４は、図３および図４に示すように、トップカバー３０の内部側面に係合する。
【００３３】
また、本実施形態では、トップカバー３０をボトムシャーシ１０の上側に取り付ける際、図５に示すように、トップカバー３０の２つのフック状の係合部３３をフロントパネル２０の内面上部に下方向から係合させる。そして、トップカバー３０の補強リブとして機能する凸状部３２を、上方向から所定の押圧力でボトムシャーシ１０の４つの半球形状の弾力性を有する突起部１３に当接させる。これにより、ボトムシャーシ１０とトップカバー３０とは、テレビジョン用チューナ１のねじ止めされていない正面側において４つの電気的な接触点を有するように構成される。
【００３４】
本実施形態では、上記のように、トップカバー３０に、ボトムシャーシ１０の半球形状の突起部１３に当接するとともに、補強リブとして機能する凸状部３２を設けることによって、トップカバー３０の厚みが小さい場合にも、補強リブとして機能する凸状部３２により、突起部１３の押圧力に起因するトップカバー３０の変形を有効に抑制することができる。また、凸状部３２をトップカバー３０と一体的に形成することによって、部品点数が増加することもない。
【００３５】
また、本実施形態では、ボトムシャーシ１０の正面上部に設けられた支持面１２に所定の間隔を隔てて複数の半球形状の突起部１３を設けるとともに、トップカバー１０に、フロントパネル２０の内面上部に下方向から係合するフック状の係合部３３を設け、かつ、その係合部３３がフロントパネル２０の内面上部に下方向から係合することによりトップカバー３０の凸状部３２が上方向から所定の押圧力でボトムシャーシ１０の突起部１３に当接するように構成することによって、トップカバー３０とボトムシャーシ１０との間に確実に電気的な接触点を得ることができる。これにより、確実にシールド効果を得ることができる。また、複数の突起部１３のそれぞれの周囲の一部を囲むように実質的にＵ字状の切り欠き部１４を設けることによって、突起部１３に弾力性を付与することができるので、ボトムシャーシ１０の突起部１３とトップカバー３０との接触圧が過度に大きくなるのが抑制される。これにより、上記した補強リブとして機能する凸状部３２とこの切り欠き部１４との組み合わせにより、トップカバー３０の厚みが小さい場合にも、トップカバー３０の変形をより有効に抑制することができる。
【００３６】
また、本実施形態では、ボトムシャーシ１０の正面側上部に形成された支持面１２を、正面から背面に向かう方向に上り勾配を有して延びるように形成することによって、トップカバー３０の係合部３３をフロントパネル２０に係合させる際に、トップカバー３０の係合部３３がボトムシャーシ１０の支持面１２および突起部１３に干渉するのを抑制することができる。その結果、トップカバー３０の係合部３３をフロントパネル２０に係合させる組立作業の作業性を向上させることができる。
【００３７】
また、本実施形態では、突起部１３を、ボトムシャーシ１０と一体的に形成することによって、部品点数を増加させることなく、確実にシールド効果を得ることができる。
【００３８】
なお、今回開示された実施形態は、すべての点で例示であって制限的なものではないと考えられるべきである。本考案の範囲は、上記した実施形態の説明ではなく実用新案登録請求の範囲によって示され、さらに実用新案登録請求の範囲と均等の意味および範囲内でのすべての変更が含まれる。
【００３９】
たとえば、上記実施形態では、本考案を電磁波ノイズを輻射するテレビジョン用チューナ回路が収納されるテレビジョン用チューナに適用する例を示したが、本考案はこれに限らず、電磁波ノイズを輻射する他の電子部品が収納される他の電子機器のハウジング構造に適用しても同様の効果を得ることができる。
【００４０】
また、上記実施形態では、ボトムシャーシの支持面に設けられたすべての突起部に対して、１つずつ切り欠き部を設けたが、本考案はこれに限らず、切り欠き部を複数の突起部に対して１個ずつ設けるようにしてもよい。また、切り欠き部を設けなくてもよい。
【００４１】
また、上記実施形態では、突起部を半球形状に形成したが、本考案はこれに限らず、突起部を半球形状以外の別の形状にしてもよい。
【図面の簡単な説明】
【図１】本考案の一実施形態によるテレビジョン用チューナを示した斜視図である。
【図２】図１に示した本考案の一実施形態によるテレビジョン用チューナの側面図である。
【図３】本考案の一実施形態によるテレビジョン用チューナを示した上面図である。
【図４】図３の部分拡大図である。
【図５】図４に示した本考案の一実施形態によるテレビジョン用チューナの２００−２００線に沿った部分断面図である。
【図６】図４に示した本考案の一実施形態によるテレビジョン用チューナの３００−３００線に沿った部分断面図である。
【図７】図１に示した本考案の一実施形態によるテレビジョン用チューナのボトムシャーシを示した上面図である。
【図８】図７の部分拡大図である。
【図９】図１に示した本考案の一実施形態によるテレビジョン用チューナのフロントパネルを示した上面図である。
【図１０】図１に示した本考案の一実施形態によるテレビジョン用チューナのトップカバーを示した上面図である。
【図１１】従来のテレビジョン用チューナを示した斜視図である。
【図１２】図１１に示した従来のテレビジョン用チューナの側面図である。
【図１３】図１２に示した従来のテレビジョン用チューナの部分断面図である。
【符号の説明】
１０　ボトムシャーシ
１２　支持面
１３　突起部
１４　切り欠き部
２０　フロントパネル
３０　トップカバー
３２　凸状部
３３　係合部
【図１】
0003098793.tif 000003
【図２】
0003098793.tif 000004
【図３】
0003098793.tif 000005
【図４】
0003098793.tif 000006
【図５】
0003098793.tif 000007
【図６】
0003098793.tif 000008
【図７】
0003098793.tif 000009
【図８】
0003098793.tif 000010
【図９】
0003098793.tif 000011
【図１０】
0003098793.tif 000012
【図１１】
0003098793.tif 000013
【図１２】
0003098793.tif 000014
【図１３】
0003098793.tif 000015